(57)【要約】【課題】  既設タイル面の浮いたタイルの補修において、専門の熟練工に依頼しなくとも、誰でも簡単に正確に目的とする目地幅の中心部へ補修用の接着剤を流入する孔をあけることを可能とする穿孔ドリルのガイド用具を提供する。【解決手段】  タイル施工面１の補修するタイル２の目地３に嵌合しうる嵌合部幅５と嵌合部高さ６の目地嵌合部４を下面に有する定規７を設け、定規７の目地嵌合部４の嵌合部幅５の中心位置１０にドリル挿通用孔１１を開口し、ドリル挿通用孔１１の周囲の定規７の上面７ａにドリル挿通用のガイドパイプ１２を垂直に立設しているタイル目地部分への穿孔用のガイド定規１５である。【選択図】      図２
0003112409.tif 000002
【実用新案登録請求の範囲】
【請求項１】
タイル施工面１の補修するタイル２の目地３に嵌合しうる嵌合部幅５と嵌合部高さ６の目地嵌合部４を下面に有する定規７を設け、該定規７の目地嵌合部４の嵌合部幅５の中心位置１０にドリル挿通用孔１１を開口し、該ドリル挿通用孔１１の周囲の定規７の上面７ａにドリル挿通用のガイドパイプ１２を垂直に立設していることを特徴とするタイル目地部分への穿孔用のガイド定規１５。
【請求項２】
定規７は一字状に形状されていることを特徴とする請求項１に記載のタイル目地部分への穿孔用のガイド定規１５。
【請求項３】
定規７は十字状に形状され、ドリル挿通用孔１１を形成する中心位置１０は定規７の十字状の交差部７ｂの中心であることを特徴とする請求項１に記載のタイル目地部分への穿孔用のガイド定規１５。
【請求項４】
定規７はＴ字状に形状され、ドリル挿通用孔１１を形成する中心位置１０は定規７のＴ字状の交差部７ｃの中心であることを特徴とする請求項１に記載のタイル目地部分への穿孔用のガイド定規１５。
【考案の詳細な説明】
【技術分野】
【０００１】
この考案は建築改修工事におけるタイルの浮き注入補修を行う際に周囲のタイルに損傷を与えることなく、目地の中心部に正確にドリルで孔をあけるガイド用具に関する。
【背景技術】
【０００２】
建築構造物のタイルからなる壁面は、一般にモルタル下地を設け、その上にタイルをモルタルで貼って壁面に仕上げられている。この場合、モルタルの拡張不足あるいは収縮により、タイルに浮きを生じることがある。このような浮いたタイルを放置しておくと、終にはその浮いたタイルが剥落してくることとなる。そこで、タイルが剥離するような自体にならないようにするため、タイルに浮きが生じた場合、浮いたタイルを再び下地に接着してタイルの剥落を防止する必要がある。
【０００３】
このような壁面の下地から浮いたタイルの補修方法として、浮いたタイルの側部の目地の部分にドリルで孔をあけ、その孔からエポキシ樹脂の接着剤をタイルの下に注入してタイルを再び接着し、タイルの剥落を防止する工法が一般的に行われている。
【０００４】
ところで、従来は、この浮いたタイルの補修には、浮いたタイルを再び接着するために接着剤を浮いたタイルの側部の目地の部分に注入する孔を勘と経験に頼ってあけていた。このように勘と経験のみで孔をあけていたので、目地の補修すべき正確な位置に孔をあけることは容易でなかった。このために作業に伴ってタイルを破損することが多々発生していた。そこで、タイルの破損を減少するためには経験の豊かな専門の熟練工に依頼するしか方法はなかった。
【０００５】
【特許文献１】特開２０００−１７０３９３号公報
【特許文献２】特開２００５−７６２２３号公報
【特許文献３】特開２００１−３２３６３８号公報
【考案の開示】
【考案が解決しようとする課題】
【０００６】
本考案が解決しようとする課題は、既設タイル面の浮いたタイルの補修において、上記のように専門の熟練工に依頼しなくとも、誰でも簡単に正確に目的とする目地幅の中心部へ補修用の接着剤を流入する孔をあけることを可能とする穿孔ドリルのガイド用具を提供することである。
【課題を解決するための手段】
【０００７】
上記の課題を解決するための本考案の手段において、請求項１の手段は、タイル施工面１の補修するタイル２の目地３に嵌合しうる嵌合部幅５と嵌合部高さ６の目地嵌合部４を下面に有する定規７を設け、該定規７の目地嵌合部４の嵌合部幅５の中心位置１０にドリル挿通用孔１１を開口し、該ドリル挿通用孔１１の周囲の定規７の上面７ａにドリル挿通用のガイドパイプ１２を垂直に立設していることを特徴とするタイル目地部分への穿孔用のガイド定規１５である。
【０００８】
請求項２の手段は、定規７は一字状に形状されていることを特徴とする請求項１の手段のタイル目地部分への穿孔用のガイド定規１５である。
【０００９】
請求項３の手段は、定規７は十字状に形状され、ドリル挿通用孔１１を形成する中心位置１０は定規７の十字状の交差部７ｂの中心であることを特徴とする請求項１の手段のタイル目地部分への穿孔用のガイド定規１５である。
【００１０】
請求項４の手段は、定規７はＴ字状に形状され、ドリル挿通用孔１１を形成する中心位置１０は定規７のＴ字状の交差部７ｃの中心であることを特徴とする請求項１の手段のタイル目地部分への穿孔用のガイド定規１５である。
【考案の効果】
【００１１】
本考案は、タイル目地部に嵌合しうる幅の定規からなり、その定規の中心位置にドリル挿通用の開口部を有し、その開口部の周囲にドリルをガイドするパイプ状ガイドを垂直に設けているので、目的とする接着剤挿入用の孔を狙いの正確な位置に垂直に穿孔することができ、その結果、浮いたタイルの補修のためにそのタイルの周囲の目地から接着剤をタイル下面に流し込む際に、接着剤を挿入する目地中心部分への正確な穿孔の位置決めが熟練を要しなくとも容易にでき、的確な補修が図れるなど、本考案は優れた効果を奏する用具である。
【考案を実施するための最良の形態】
【００１２】
本考案を実施するための最良の形態を図面を参照しながら説明する。図１は本考案の１実施の形態の一字状の定規７からなるガイド定規１５の斜視図である。図２は本考案の他の実施の形態の十字状の定規７からなガイド定規１５の斜視図である。図３は本考案の他の実施の形態のＴ字状の定規７からなガイド定規１５の斜視図である。図４は本考案のガイド定規１５のタイル施工面１への使用状態を示す図である。図５は本考案のガイド定規を使用し、浮きタイルの補修完了後のタイルおよびその下部の施工面の縦断面図である。
【００１３】
本考案のガイド定規１５は、既設のタイル施工面１において、永年の使用により下地のモルタルから部分的に剥がれて浮き上がったタイル２を、再び下地モルタルに接着させるために補助用具として使用する工具である。
【００１４】
このガイド定規１５は、図１に示すように、タイル施工面１の補修するタイル２の目地３に嵌合可能な嵌合部幅５と嵌合部高さ６の目地嵌合部４を下面に有する定規７からなる。この場合、目地嵌合部４の嵌合部幅５は目地３にちょうど嵌まる幅が目地３のなかで目地嵌合部４が左右にずれないので好ましい。さらに、目地嵌合部４の上部の定規７の幅は目地３の幅よりやや広くしてタイル２の端縁に載置できるようにしておくと、タイル２の上に載置できるのでガイド定規１５を安定して使用することができる。この定規７はその目地嵌合部４の嵌合部幅５の中心位置１０にドリル挿通用孔１１を有している。さらに、このドリル挿通用孔１１の周囲の定規７の上面７ａにドリル挿通用のガイドパイプ１２を垂直に立設している。このガイドパイプ１２により穿孔するドリルを目地面に垂直に立てることができ、垂直な孔が正確な位置に穿孔できる。
【００１５】
上記の図１のガイド定規１５は、請求項２に係る考案の定規７の形状を示し、その定規７の形状は一字状に形成されている。
【００１６】
一方、図２に示すガイド定規１５は、請求項３に係る考案の定規７の形状を示し、その定規７の形状は十字状に形状されている。この場合、目地嵌合部４の嵌合部幅５の中心位置１０に設けたドリル挿通用孔１１を形成している。しかも、この中心位置１０は定規７の十字状の交差部７ｂの中心に形成されている。この十字状の定規７はタイル２の目地３が縦横に交差している部分に載置して使用するものである。
【００１７】
一方、図３に示すガイド定規１５は、請求項４に係る考案の定規７の形状を示し、その定規７の形状はＴ字状に形状されている。この場合、目地嵌合部４の嵌合部幅５の中心位置１０に設けたドリル挿通用孔１１を形成している。しかも、この中心位置１０は定規７のＴ字状の交差部７ｃの中心に形成されている。従って、このＴ字状の定規７では、タイル２の目地３は縦横のいずれか一方のものが直線状に通っているが、他の一方は目地３の始点は上記の直線状に通った目地３にあり、その反対側には目地３はなく、単にＴ字状に交差している目地３に載置して使用するものである。
【００１８】
この考案のガイド定規１５は使用状態を図４により説明する。この図４では、ガイド定規１５は十字状の定規７からなるものを例としている。先ず、タイル面を鉄球の付いた打診棒で全体を叩き、タイル下地モルタル１６の下とコンクリート躯体２０との間に空隙部分１７が生じている箇所を音の違いによりマーキングを行う。この浮きが生じているタイル２のサイドの目地３の目地交差部３ａに定規７の十字状の交差部７ｂを合わせてガイド定規１５の目地嵌合部４を目地３に嵌め込み載置する。次いで、この嵌め込み載置したガイド定規１５のガイドパイプ１２のパイプ内径１３の中にドリルの刃を挿通して目地３にエポキシ樹脂接着剤１８を挿通する孔をコンクリート躯体２０の中まで穿孔して開口する。穿孔はガイドパイプ１２により正確な位置に容易に穿孔できた。開口が終わるとガイド定規１５をタイル施工面１から取り外す。次いで、図５に示すように、エポキシ樹脂接着剤１８をこの孔に注入して浮いたタイル２のタイル下地モルタル１６の下面のコンクリート躯体２０上に注入し、ネジきりステンレスピン１９を孔に挿入し、穿孔口を木栓や布などで閉栓後、エポキシ樹脂接着剤１８の固化を待って補修は終了する。
【図面の簡単な説明】
【００１９】
【図１】本考案の１実施の形態の一字状の定規からなるガイド定規の斜視図である。
【図２】本考案の他の実施の形態の十字状の定規からなガイド定規の斜視図である。
【図３】本考案のさらに他の実施の形態のＴ字状の定規からなガイド定規の斜視図である。
【図４】本考案のガイド定規のタイル施工面への使用状態を示す図である。
【図５】本考案のガイド定規を使用し、浮きタイルの補修完了後のタイルおよびその下部の施工面の縦断面図である。
【符号の説明】
【００２０】
１  タイル施工面
２  タイル
３  目地
３ａ  目地交差部
４  目地嵌合部
５  嵌合部幅
６  嵌合部高さ
７  定規
７ａ  上面
７ｂ  十字状の交差部
７ｃ  Ｔ字状の交差部
８  定規上部高さ
９  定規幅
１０  中心位置
１１  ドリル挿通用孔
１２  ガイドパイプ
１３  パイプ内径
１４  パイプ高さ
１５  ガイド定規
１６  タイル下地モルタル
１７  空隙部分
１８  エポキシ樹脂接着剤
１９  ネジきりステンレスピン
２０  ガイド定規
【図１】
0003112409.tif 000003
【図２】
0003112409.tif 000004
【図３】
0003112409.tif 000005
【図４】
0003112409.tif 000006
【図５】
0003112409.tif 000007